(57)【要約】【課題】吸収性物品の長期保存を可能とするとともに、保存中の吸収性物品の劣化を抑制できる吸収性物品の包装材を提供する。【解決手段】この包装材１は、複数の吸収性物品を収容する密封構造を有する収容部２を備えている。包装材１に用いられるシート材５は、樹脂製のシート基材と、シート基材に付与された光を遮断する遮光層とを備えている。包装材１のシール部３には、開封用の切り込み部４が設けられている。【選択図】図１
2011006120.tif 000002
【特許請求の範囲】
【請求項１】
吸収性物品の包装材であって、
シート材によって形成され、複数の吸収性物品を収容する密封構造を有する収容部を備え、
前記シート材は、樹脂製のシート基材と、前記シート基材に付与された光を遮断する遮光層とを備えていることを特徴とすることを特徴とする吸収性物品の包装材。
【請求項２】
請求項１に記載の吸収性物品の包装材において、
前記収容部の端部を接合することによりシールするシール部と、
前記シール部における前記収容部の前記端部と対向する端縁の一部から前記収容部側に向けて切り込まれて設けられた切り込み部と、
を備えることを特徴とする吸収性物品の包装材。
【発明の詳細な説明】
【技術分野】
【０００１】
本発明は、複数の吸収性物品を収容する吸収性物品の包装材に関する。
【背景技術】
【０００２】
従来の吸収性物品の包装材としては、乳白色の樹脂フィルムで形成され、複数の使い捨ておむつを収容する袋状の包装材がある。この従来の包装材には、開封を容易とするためのミシン目が設けられている。この包装材に使い捨ておむつを圧縮した状態で収容し、さらに段ボールケースに収容することにより、２〜３年程度の保存に耐えられるようになっている。使い捨ておむつが生産されてからユーザーによって購入されるまでの期間は、通常、１〜２年以内と言われており、上記の従来の包装材で対応可能となっている。
【発明の概要】
【発明が解決しようとする課題】
【０００３】
しかしながら、上記の従来の包装材では、ミシン目を介して外気が包装材に浸入するため、浸入した外気により内部の吸収性物品が劣化する場合がある。例えば、ミシン目から包装材内に浸入した外気に含まれる湿気を吸収性物品に含まれる吸収ポリマーが吸収することで、吸収ポリマーが劣化する場合がある。また、ミシン目を介して外気が出入りすることにより、包装材内の温度変化が大きくなり、これによって吸収性物品に含まれる吸収ポリマーが劣化する場合もある。また、上記の従来の包装材では、外部の光を遮断するための対策が施されていないため、外部の光（特に、紫外線）が包装材を透過して内部に浸入し、吸収性物品を劣化させるおそれもある。
【０００４】
このため、上記の従来の包装材では、災害時の備蓄用途等のように長期の保存が必要となる場合には、２〜３年毎に備蓄している吸収性物品の入れ替えを行う必要があり、入れ替えのための費用が嵩むという問題がある。
【０００５】
そこで、本発明の解決すべき課題は、吸収性物品の長期保存を可能とするとともに、保存中の吸収性物品の劣化を抑制できる吸収性物品の包装材を提供することである。
【課題を解決するための手段】
【０００６】
上記の課題を解決するため、請求項１の発明では、吸収性物品の包装材であって、シート材によって形成され、複数の吸収性物品を収容する密封構造を有する収容部を備え、前記シート材は、樹脂製のシート基材と、前記シート基材に付与された光を遮断する遮光層とを備えている。
【０００７】
また、請求項２の発明では、請求項１の発明に係る吸収性物品の包装材において、前記収容部の端部を接合することによりシールするシール部と、前記シール部における前記収容部の前記端部と対向する端縁の一部から前記収容部側に向けて切り込まれて設けられた切り込み部とを備える。
【発明の効果】
【０００８】
請求項１に記載の発明によれば、複数の吸収性物品を収容する包装材の収容部が密封構造を有しているため、外気が包装材の内部に浸入することがない。その結果、外気の包装材内への浸入に起因して生じる吸収性物品の劣化を防止できる。また、包装材を構成するシート材に付与された遮光層によって、外部の光（特に、紫外線）が包装材内に進入するのを防止できるため、包装材内に進入した光によって吸収性物品が劣化するのを防止できる。これによって、本発明に係る包装材に吸収性物品を収容することにより、吸収性物品の長期保存を可能とするとともに、保存中の吸収性物品の劣化を抑制できる。
【０００９】
請求項２に記載の発明によれば、包装材の収容部の端部をシールするシール部に設けられた切り込み部を引き裂く等することにより、包装材を容易に開封できる。
【図面の簡単な説明】
【００１０】
【図１】本発明の一実施形態に係る吸収性物品の包装材の斜視図である。
【図２】図１の包装材を構成するシート材の断面図である。
【発明を実施するための形態】
【００１１】
図１は本発明の一実施形態に係る吸収性物品の包装材の斜視図であり、図２はその包装材を構成するシート材の断面図である。この包装材１は、図１に示すように、複数の吸収性物品を収容する収容部２と、収容部２をシールするシール部３と、シール部３に設けられた切り込み部４とを備えている。吸収性物品の具体例としては、使い捨ておむつなどが挙げられる。
【００１２】
包装材１の収容部２は、シート材５によって形成され、密封構造を有している。このため、収容部２には従来の包装材に設けられているようなミシン目等は設けられていない。収容部２内には、複数の吸収性物品が圧縮された状態で収容される。
【００１３】
シート材５は、例えば図２に示すように、樹脂製のシート基材５ａ，５ｂと、シート基材５ａ，５ｂに付与された光を遮断する遮光層５ｃとを備えて構成されている。遮光層５ｃとしては、例えばアルミニウム蒸着層等によって構成される。図２に示すシート材５は、シート基材５ａ，５ｂのいずれか一方の表面にアルミニウム蒸着層５ｃが形成されており、そのアルミニウム蒸着層５ｃが形成された一方のシート基材５ａ，５ｂの面に、他方のシート基材５ａ，５ｂが貼り合わされて形成されている。なお、シート材５の構成は、図２に示す構成に限らず種々の構成が採用可能である。
【００１４】
シール部３は、収容部２の端部６（例えば、上下の端部６）に設けられ、端部６の周方向の複数箇所を内側に折り込むようにして閉じられた端部６をシールしている。シール部３のシールは、閉じられた端部６を所定の接合手段を用いて接合することによって行われる。その接合手段としては、例えば、融着（加熱融着又は超音波溶着）、接着剤による接着、又は融着と接着剤による接着との組み合わせ等が用いられる。図１に示す例では、収容部２の端部６の周方向の互いに対向する２カ所が内側に折り込まれた状態で接合されている。その内側に折り込まれた２カ所の部分は、ガセット部７となっている。
【００１５】
切り込み部４は、包装材１の開封時の便宜のために設けられるものであり、上側のシール部３における収容部２の上側の端部６と対向する端縁３ａの一部から収容部２側に向けて切り込まれて設けられている。より具体的には、切り込み部４は、シール部３の端縁３ａの一部から収容部２側に向けて略テーパ状にシール部３の一部が切り欠かれることにより形成されており、容易に視認されるように大きめのサイズで切り欠かれている。切り込み部４は、その収容部２側の先端４ａが、両側のガセット部７の内側端部７ａよりも内方側に位置するように設けられている。包装材１の開封は、例えば、図１の矢印１１，１２で示すように、シール部３の切り込み部４の両側の部分を引き離す方向に引っ張るようにして包装材１を引き裂くこと等によって容易に行われる。なお、本実施形態では、切り込み部４を略テーパ状の切り欠き部として形成したが、切り込み部４の他の構成としては、線状に設けられた切り込み等であってもよく、種々の構成が採用可能である。
【００１６】
以上のように、本実施形態によれば、複数の吸収性物品を収容する包装材１の収容部２が密封構造を有しているため、外気が包装材１の内部に浸入することがない。これによって、外気の包装材１内への浸入に起因して生じる吸収性物品の劣化を防止できる。また、包装材１を構成するシート材５に付与された遮光層５ｃによって、外部の光（特に、紫外線）が包装材１内に進入するのを防止できるため、包装材１内に進入した光によって吸収性物品が劣化するのを防止できる。その結果、本実施形態に係る包装材１に吸収性物品を収容することにより、吸収性物品の長期保存を可能とするとともに、保存中の吸収性物品の劣化を抑制できる。
【００１７】
また、包装材１の収容部２の端部６をシールするシール部３に設けられた切り込み部４を引き裂く等することにより、包装材１を容易に開封できる。
【符号の説明】
【００１８】
１  包装材、２  主要部、３  シール部、４  切り込み部、５  シート材、５ａ，５ｂ  シート基材、５ｃ  遮光層、７  ガセット部。
【図１】
2011006120.tif 000003
【図２】
2011006120.tif 000004